(57)【要約】【課題】所定の工具を用いて連結ピンを裏側から不正に破壊する行為が行われた場合に、その痕跡を容易に目視確認することができる。【解決手段】分離不能に連結された上ケース２０と下ケース３０に対する連結解除の痕跡を識別可能に残すセキュリティ構造であって、上ケース２０の表側から行われる押し込み操作に応じて、上ケース２０及び下ケース３０に形成された孔部を貫通するとともに、下ケース３０に裏側から係合することによって上ケース２０と下ケース３０を連結する連結ピン４０を備え、この連結ピン４０は、下ケース３０に係合された状態で各孔部内を回転可能に形成されるとともに、外部から加わる回転力による連結ピン４０の回転位置変動を、上ケース２０の表側から目視確認可能とする指針部４５を備える。【選択図】図４
2011177412.tif 000002
【特許請求の範囲】
【請求項１】
分離不能に連結された二つの部材に対する連結解除の痕跡を識別可能に残すセキュリティ構造であって、
一方の前記部材側から行われる押し込み操作に応じて、一方の前記部材及び他方の前記部材に形成された孔部を貫通するとともに、他方の前記部材に係合することによって二つの前記部材を連結する連結ピンを備え、
前記連結ピンは、前記他方の部材に係合された状態で前記各孔部内を回転可能に形成されるとともに、外力による回転位置変動を目視確認可能とする指針部を備えることを特徴とするセキュリティ構造。
【請求項２】
前記連結ピンは、押し込み操作される円形の頭部と、前記各孔部を貫通する軸部と、他方の前記部材に裏側から係合する係合爪部と、を備え、
前記指針部は、前記頭部上面の中心を通る直径線を備える請求項１記載のセキュリティ構造。
【請求項３】
前記指針部は、前記直径線で区切られた前記頭部上面の二つの領域であって、異なる色で着色された二つの着色部を備える請求項２記載のセキュリティ構造。
【請求項４】
前記押し込み操作に際して前記連結ピンの回転位置を規定するとともに、外力による前記連結ピンの回転位置変動に応じて破損する回転位置規定部を備える請求項１〜３のいずれか一項に記載のセキュリティ構造。
【請求項５】
前記回転位置規定部は、一方の前記部材側又は前記連結ピン側に形成される凸部と、前記連結ピン側又は一方の前記部材側に形成され、所定の回転位置で前記凸部に係合する凹部と、を備え、外力による前記連結ピンの回転位置変動に応じて前記凸部が折損する請求項４記載のセキュリティ構造。
【請求項６】
前記凸部は、一方の前記部材の表側から目視確認可能な位置に形成される請求項５記載のセキュリティ構造。
【請求項７】
前記凸部は、その周辺とは異なる色で着色される請求項６記載のセキュリティ構造。
【請求項８】
前記連結ピンは、当該連結ピンが動くか否かを触診する触診棒の先端と係合する触診用係合部を備える請求項１〜７のいずれか一項に記載のセキュリティ構造。
【発明の詳細な説明】
【技術分野】
【０００１】
本発明は、遊技機の基板ケースなどに適用されるセキュリティ構造に関し、特に、連結ピンを用いて分離不能に連結された二つの部材に対する連結解除の痕跡を識別可能に残すセキュリティ構造に関する。
【背景技術】
【０００２】
一般に、スロットマシン、パチンコなどの遊技機では、遊技機の動作を制御するＩＣ、ＲＯＭなどの電子部品を実装した制御基板が備えられている。
近年、この種の遊技機の制御基板は、不正行為者によるＲＯＭなどの交換や改造、不正部品の追加、接続など、悪質な不正行為の標的となっており、その被害は深刻なものとなっている。
【０００３】
このような遊技機の制御基板に対する不正行為を排除する手段として、従来から、制御基板全体を所定の基板ケース内に収納し、この基板ケースを開放不能に封印固定した状態で遊技機側に取り付けるという対策が講じられてきた。
そして、遊技機の制御基板を収納した基板ケースを開放不能に封印固定する方法としては、連結ピンを用いて二つの部材を分離不能に連結する連結構造が広く用いられていた（例えば、特許文献１参照）。
【０００４】
例えば、上ケース及び下ケースで構成される基板ケースを連結ピンで開放不能に封印固定する場合、連結ピンは、上ケースの表側から行われる押し込み操作に応じて、上ケース及び下ケースに形成された孔部を貫通するとともに、下ケースに裏側から係合することによって上ケースと下ケースを連結する。
そして、連結ピンと下ケースの係合部分をケース外部から触ることができないようにしておけば、上ケースと下ケースが分離不能に連結されるので、基板ケースの一部（以下、開封部という。）を切断又は破壊しない限り、基板ケースを開放することが困難になる。
【０００５】
このような基板ケースの封印固定方法によれば、基板ケースの開放時に開封部の切断や破壊が要求され、この切断跡や破壊跡が開放の痕跡として残るので、不正な開放の隠蔽が困難になるとともに、不正行為が行われても、切断跡や破壊跡などの痕跡の確認により、その事実を発見することが可能になる。
【先行技術文献】
【特許文献】
【０００６】
【特許文献１】特開２００４−６５７９２号公報
【発明の概要】
【発明が解決しようとする課題】
【０００７】
しかしながら、上記のような連結ピンを用いる基板ケースの封印固定方法では、所定の工具（例えば、ドリル）など用いて下ケースの裏側に孔を開け、さらに、工具の先端を押し進めて連結ピンの係合部分を破壊するという不正な破壊行為が行われた場合、基板ケースの開封部に切断跡や破壊跡を残すことなく、基板ケースを不正に開放することが可能となってしまう。
【０００８】
また、このような不正を行う不正行為者は、通常、制御基板の不正改造を行った後、制御基板を元通りに基板ケースに収めるとともに、開放の痕跡が残らないように偽装工作を行う。
例えば、連結ピンの押し込み孔に接着剤を垂らし、あたかも連結ピンで上ケースと下ケースが連結されているかのように見せる偽装工作や、破壊した連結ピンを別の連結ピン（例えば、偽造された連結ピン）に交換して再度封印する偽装工作が行われるので、不正行為の発見がさらに困難になるという問題があった。
【０００９】
なお、特許文献１には、赤外線レーザの照射により各種の色に発色する燐光性粉末を連結ピンに施すことにより、不正行為に伴う連結ピンの交換や移し替えを判定可能にする技術が開示されている。
しかしながら、上記の技術では、不正の確認作業に際し、遊技機毎に基板ケースに対して赤外線レーザを照射する必要があるので、確認作業に多くの手間がかかり、実用的ではない。また、燐光性粉末は、比較的簡単に入手できるので、連結ピンが偽造される可能性もある。
【００１０】
本発明は、上記の事情にかんがみなされたものであり、所定の工具を用いて連結ピンを裏側から不正に破壊する行為が行われた場合に、その痕跡を容易に目視確認（識別）することができるセキュリティ構造の提供を目的とする。
【課題を解決するための手段】
【００１１】
上記目的を達成するため本発明のセキュリティ構造は、分離不能に連結された二つの部材に対する連結解除の痕跡を識別可能に残すセキュリティ構造であって、一方の前記部材側から行われる押し込み操作に応じて、一方の前記部材及び他方の前記部材に形成された孔部を貫通するとともに、他方の前記部材に係合することによって二つの前記部材を連結する連結ピンを備え、前記連結ピンは、前記他方の部材に係合された状態で前記各孔部内を回転可能に形成されるとともに、外力による回転位置変動を目視確認可能とする指針部を備える構成としてある。
【発明の効果】
【００１２】
以上のように、本発明によれば、連結ピンを用いて二つの部材を分離不能に連結する連結構造において、外部から連結ピンに回転力が加えられた場合に、その痕跡を容易に目視確認することができる。
【図面の簡単な説明】
【００１３】
【図１】本発明の実施形態に係るセキュリティ構造が適用される制御基板ケースの分解斜視図である。
【図２】本発明の実施形態に係るセキュリティ構造が適用される制御基板ケースの斜視図である。
【図３】（ａ）は、封印状態の封印固定部を示す平面図、（ｂ）は、封印状態の封印固定部を示す断面図である。
【図４】（ａ）は、不正破壊行為が行われる前の状態を示す封印固定部の要部概略平面図、（ｂ）は、不正破壊行為が行われる前の状態を示す封印固定部の要部概略断面図、（ｃ）は、不正破壊行為が行われた後の状態を示す封印固定部の要部概略平面図、（ｄ）は、不正破壊行為が行われた後の状態を示す封印固定部の要部概略断面図である。
【図５】不正破壊行為が行われる前の状態を示す封印固定部のＡ−Ａ概略断面図である。
【図６】（ａ）は、触診棒による触診方法を示す要部概略断面図、（ｂ）は、触診用係合部の他例を示す要部概略断面図である。
【発明を実施するための形態】
【００１４】
以下、本発明の実施形態について、図面を参照して説明する。
図１は、本発明の実施形態に係るセキュリティ構造が適用される制御基板ケースの分解斜視図、図２は、本発明の実施形態に係るセキュリティ構造が適用される制御基板ケースの斜視図、図３の（ａ）は、封印状態の封印固定部を示す平面図、図３の（ｂ）は、封印状態の封印固定部を示す断面図である。
これらの図に示すように、本発明の実施形態に係るセキュリティ構造が適用される制御基板ケース１０は、互に開閉可能に嵌合する上ケース２０及び下ケース３０を備えて構成されている。
【００１５】
上ケース２０及び下ケース３０は、互に開閉可能に嵌合して遊技機用制御基板（図示せず）の収納ケースを構成するようになっており、全体が透明プラスチックからなる筐体構造となっている。
上ケース２０には、内部に収納された制御基板に外部から配線などが接続可能な配線口２０ａが複数設けられるとともに、制御基板から発生する熱を放熱するための放熱孔２０ｂが多数形成されている。
また、上ケース２０には、下ケース３０のヒンジ部（図示せず）と回動自在に係合するヒンジ部（図示せず）が設けられている。
【００１６】
下ケース３０には、ケース開口に沿って薄板状のガイド部３０ａが突設してあり、このガイド部３０ａが上ケース２０の開口内周に係合して、上ケース２０と下ケース３０が一体的に嵌合するようになっている。
また、下ケース３０には、上ケース２０のヒンジ部と回動自在に係合するヒンジ部が設けられ、このヒンジ部によって、上ケース２０と下ケース３０が開閉自在に組み立てられるようになっている。
【００１７】
そして、この上ケース２０及び下ケース３０の開閉側（ヒンジ部と反対側の端部）には、互に上下に重合するように複数の封印固定部２１、３１（Ａ、Ｆ）が突出形成され、これらの封印固定部２１、３１同士が、連結ピン４０を介して分離不能に連結されるようになっている。
【００１８】
また、上ケース２０には、ケース側面側にも、複数の封印固定部２１（Ｂ〜Ｅ）が形成されている。
このケース側面側の封印固定部２１は、制御基板ケース１０が図示しない遊技機側に取り付けられた場合に、遊技機側に備えられる封印固定部（図示せず）と対応する位置に形成されており、これらの封印固定部同士を連結ピン４０を用いて連結させることで、制御基板ケース１０と遊技機とを分離不能に連結固定することができる。
以下、本実施形態に係る制御基板ケース１０の連結構造について説明する。
【００１９】
本実施形態に係る制御基板ケース１０の連結構造では、上ケース２０及び下ケース３０に形成される封印固定部２１、３１同士が互に連結されるとともに、開封時に開封部の切断を要求し、この切断跡が開封の痕跡として残るように構成されている。
上ケース２０は、第一封印手段及び第二封印手段を備えている。第一封印手段は、封印固定部２１、３１同士の連結部を封印し、第二封印手段は、第一封印手段の開封部を封印するようになっている。
【００２０】
具体的に説明すると、本実施形態の第一封印手段は、上ケース２０及び下ケース３０の封印固定部２１、３１同士を分離不能に連結する連結ピン４０と、上ケース２０と封印固定部２１を結合する開封部２２とを備えており、開封時に、開封部２２の切断を要求するように構成されている。
【００２１】
開封部２２は、意識的に切断を容易にした部分で、ここを切断することにより、封印固定部２１が上ケース２０から分離され、制御基板ケース１０の開閉が可能になる。開封部２２の切断跡は、開封の痕跡として残り、これを確認することで開封の有無が判定される。
【００２２】
本実施形態では、封印固定部２１が、二つの開封部２２を介して上ケース２０に結合されている。
これにより、第一封印手段の開封に際し、一つの封印固定部２１につき、二つの開封部２２を切断することが要求され、痕跡を残さない開封や、痕跡の隠蔽が更に困難になる。
【００２３】
連結ピン４０は、押し込み操作される頭部４１と、この頭部４１に一体的に連続する軸部４２と、この軸部４２の先端外周部に一体的に形成される係合爪部４３とを有する樹脂製のもので、係合爪部４３は、先端側ほど細くなるテーパー形状になっている。
また、軸部４２（係合爪部４３）には、先端部から基端部にわたって切り込み状の溝部４４が形成されている。そのため、側方から押圧力を受けたとき、弾性変形によって係合爪部４３の径が縮小するようになっている。
【００２４】
上ケース２０の封印固定部２１は、上下方向を向く円筒形状に形成され、その内側に、連結ピン４０の頭部４１よりも僅かに径寸法が大きい丸孔２１ａを有している。丸孔２１ａの下側には、壁部２１ｂを有しており、ここに挿通孔２１ｃが形成されている。
挿通孔２１ｃの径寸法は、連結ピン４０の頭部４１よりも小さく、軸部４２よりも僅かに大きく、また、係合爪部４３よりも僅かに小さく設定されている。
【００２５】
下ケース３０の封印固定部３１も、上下方向を向く円筒形状に形成され、その内側に丸孔３１ａを有している。丸孔３１ａの下側には、壁部３１ｂを有しており、ここに係止孔３１ｃが形成されている。
係止孔３１ｃの径寸法は、連結ピン４０の軸部４２よりも僅かに大きく、また、係合爪部４３よりも僅かに小さく設定されている。
【００２６】
そして、上ケース２０及び下ケース３０の封印固定部２１、３１が重合した状態で、上ケース２０の封印固定部２１（丸孔２１ａ）に連結ピン４０を押し込むと、先端部のテーパーガイドにより係合爪部４３が縮径状態で挿通孔２１ｃ及び係止孔３１ｃを通過する。このとき、頭部４１は、挿通孔２１ｃの通過が規制され、また、係合爪部４３は、係止孔３１ｃを通過後、弾性復元して下ケース３０の封印固定部３１に裏側から係合する。
これにより、上ケース２０及び下ケース３０の封印固定部２１、３１が連結ピン４０を介して一体的に連結固定される。
【００２７】
また、丸孔２１ａの径寸法は、連結ピン４０の頭部４１よりも僅かに大きく、挿通孔２１ｃと係止孔３１ｃの径寸法は、連結ピン４０の軸部４２よりも僅かに大きく形成されている。さらに、係合爪部４３は、下ケース３０の封印固定部３１に裏側からのみ係合するように形成されている。すなわち、連結ピン４０は、封印固定部２１、３１が連結した係合状態において外部から連結ピン４０に回転力を加えると、回転するように形成されている。
【００２８】
なお、本実施形態では、型成形が容易なことから、封印固定部３１の丸孔３１ａが貫通状に形成されている。この場合、丸孔３１ａの裏側開口部から連結ピン４０の係合爪部４３を操作し、連結ピン４０の連結を解除することが可能となってしまうので、封印固定部３１の裏側に裏蓋５０を接着し、丸孔３１ａの裏側開口部を覆蓋している。この裏蓋５０は、隣接する封印固定部３１（Ａ，Ｆ）の裏側開口部に嵌入される一対の凸部５１と、これを連結する連結部５２とを備えるように樹脂で形成されている。
【００２９】
本実施形態の第二封印手段は、第一封印手段の開封部２２を表側から覆う封印カバー６０を備えており、開封時に、封印カバー６０の除去を要求するように構成されている。
つまり、封印カバー６０は、第一封印手段の開封部２２を表側から覆うカバー部６１と、上ケース２０に対して固定される左右一対の固定部６２と、この固定部６２とカバー部６１とを結合する左右一対の開封部６３とを備えるように樹脂で形成されている。
【００３０】
開封部６３は、意識的に切断を容易にした部分で、ここを切断することにより、カバー部６１が固定部６２から分離され、カバー部６１を除去することが可能になる。
そして、カバー部６１を除去すると、第一封印手段の開封部２２が露呈し、その開封操作が可能になるとともに、固定部６２及び開封部６３の一部が上ケース２０側に残り、カバー部６１を除去したことが強調される。
これにより、開封の痕跡が更に明確になり、開封の判別を確実かつ容易に行うことができる。
【００３１】
固定部６２は、上ケース２０に突出形成されるカバー取付部２３に対して、裏側からネジ７０を用いて固定されるようになっている。また、接着を併用すれば、その固定を強固にすることができる。
また、カバー取付部２３の下面及びネジ７０の頭部は、制御基板ケース１０が閉じられたとき、下ケース３０に突出形成される固定具カバー３２によって覆われるようになっている。
これにより、裏側からネジ７０を操作して封印カバー６０を取り外すという不正行為が困難になる。
【００３２】
カバー部６１は、第一封印手段の開封部２２を覆うばかりでなく、封印固定部２１の表側開口部も覆うように形成されている。
これにより、連結ピン４０の不正な取り外し行為が封印カバー６０によって阻止されることになる。
また、カバー部６１は、封印固定部２１の対応位置に、連結ピン４０の押し込み操作具が通過可能で、かつ、連結ピン４０が通過不能な押し込み孔６１ａを有している。
これにより、連結ピン４０を押し込み操作する以前、すなわち、制御基板ケース１０を閉じる以前に、封印カバー６０を上ケース２０のカバー取付部２３に取り付けて、カバー取付部２３の下面及びネジ７０の頭部を下ケース３０の固定具カバー３２で覆うことが可能になる。
【００３３】
次に、本発明の実施形態に係るセキュリティ構造について、図４〜図６を参照して説明する。
図４の（ａ）は、不正破壊行為が行われる前の状態を示す封印固定部の要部概略平面図、（ｂ）は、不正破壊行為が行われる前の状態を示す封印固定部の要部概略断面図、（ｃ）は、不正破壊行為が行われた後の状態を示す封印固定部の要部概略平面図、（ｄ）は、不正破壊行為が行われた後の状態を示す封印固定部の要部概略断面図、図５は、図４の（ａ）における不正破壊行為が行われる前の状態を示す封印固定部のＡ−Ａ概略断面図、図６の（ａ）は、触診棒による触診方法を示す要部概略断面図、（ｂ）は、触診用係合部の他例を示す要部概略断面図である。
これらの図に示すように、本発明の実施形態に係るセキュリティ構造は、上述した制御基板ケース１０の第一封印手段に適用されている。
【００３４】
図４に示すように、制御基板ケース１０の第一封印手段では、回転力の作用により孔を開ける所定の工具Ｄ（例えば、錐、ドリルなど）を用いて下ケース３０（裏蓋５０）の裏側に孔を開け、さらに、工具Ｄの刃を押し進めて連結ピン４０の係合爪部４３を破壊するという不正な破壊行為が行われた場合、開封部２２、６３に切断跡や破壊跡を残すことなく、制御基板ケース１０を不正に開放することが可能となってしまう。
【００３５】
また、このような不正を行う不正行為者は、通常、制御基板の不正改造を行った後、制御基板を元通りに制御基板ケース１０に収めるとともに、開放の痕跡が残らないように偽装工作を行う。
例えば、連結ピン４０の押し込み孔６１ａに接着剤を垂らし、あたかも連結ピン４０で上ケース２０と下ケース３０が連結されているかのように見せる偽装工作や、破壊した連結ピン４０を別の連結ピン（例えば、偽造された連結ピン）に交換して再度封印する偽装工作が行われると、不正行為の発見がさらに困難になる。
【００３６】
そこで、本発明の実施形態に係るセキュリティ構造は、連結ピン４０を裏側から不正に破壊する行為が行われた場合に、その痕跡を容易に目視確認可能とする機能を有している。
具体的には、前記不正破壊行為に伴う外部からの回転力（外力）が連結ピン４０に加わると、連結ピン４０の回転位置変動を上ケース２０の表側から目視確認可能とする指針部４５を連結ピン４０の頭部４１に備えている。
つまり、工具Ｄを用いて連結ピン４０を裏側から不正に破壊する行為が行われた場合に、工具Ｄの回転に伴って連結ピン４０の回転位置が変動することに着目し、この回転位置変動を指針部４５で目視可能に明示することによって、前記不正破壊行為の有無を容易に判定できるようにしてある。
【００３７】
指針部４５は、連結ピン４０の回転位置変動を目視可能に示すものであれば、形状などは任意に設定可能であるが、頭部４１の上面の中心を通る直径線４５ａを備えることが好ましい。
このようにすると、頭部４１の上面の中心を通る直径線４５ａの角度変化にもとづいて、連結ピン４０の回転位置変動を明確に示すことができる。
すなわち、封印固定部２１、３１の連結固定時における、直径線４５ａの初期角度（位置）を予め規定しておき（例えば、図４の（ａ）に示すように、直径線４５ａが制御基板ケース１０に対して平行になるように連結ピン４０の初期の回転位置を規定）、直径線４５ａがその角度と異なる角度になったならば、連結ピン４０に回転力を加える前記不正破壊行為が行われたものと判定できる。つまり、連結ピン４０の回転位置変動は、封印固定部２１、３１の連結が解除された痕跡となる。
なお、この場合の連結ピン４０は、挿通孔２１ｃと係止孔３１ｃ内において回転可能に形成されているものの、下ケース３０の封印固定部３１裏側との係合による引張力を受けることで、僅かに加わる回転力（外力）に対して回転不能な程度に仮止めされていることが好ましい。
【００３８】
また、指針部４５は、直径線４５ａで区切られた頭部４１の上面の二つの領域であって、異なる色（例えば、青色と赤色）で着色された二つの着色部４５ｂ、４５ｃを備えることが好ましい。
このようにすると、着色部４５ｂ、４５ｃによって直径線４５ａの角度変化を明確に示すことができるので、連結ピン４０の回転位置変動を容易に確認することができる。
【００３９】
さらに、本実施形態のセキュリティ構造は、回転位置規定部Ｋを備えている。この回転位置規定部Ｋは、押し込み操作に際して連結ピン４０の回転位置を規定するとともに、前記不正破壊行為による連結ピン４０の回転位置変動に応じて破損するように構成されている。
このような回転位置規定部Ｋによれば、連結ピン４０の初期の回転位置を定めることができるので、前記不正破壊行為に伴う連結ピン４０の回転位置変動をより簡単に判定することが可能になる。
【００４０】
例えば、本実施形態の回転位置規定部Ｋは、図４の（ａ）に示すように、指針部４５の直径線４５ａが制御基板ケース１０に対して平行になるように連結ピン４０の初期の回転位置を規定しているので、図４の（ｃ）に示すように、指針部４５の直径線４５ａが制御基板ケース１０に対して傾いていることにもとづいて、前記不正破壊行為に伴う連結ピン４０の回転位置変動を簡単に判定することが可能になる。
【００４１】
本実施形態の回転位置規定部Ｋは、上ケース２０の丸孔２１ａの内周部に形成される凸部２１ｄと、連結ピン４０の頭部４１の外周部に形成され、所定の回転位置で凸部２１ｄに係合する凹部４１ａとを備えて構成されている。
そして、凸部２１ｄは、前記不正破壊行為による連結ピン４０の回転位置変動に応じて折損するように強度設定がなされている。
このようにすると、凸部２１ｄと凹部４１ａを追加する程度の簡単な変更で回転位置規定部Ｋを構成することができる。
【００４２】
凸部２１ｄは、上ケース２０の表側から目視確認可能な位置に形成することが好ましい。より好ましくは、凸部２１ｄを、その周辺とは異なる色（例えば、黄色）で着色する。
このようにすると、凸部２１ｄが折損しているか否かを目視確認することでも、前記不正破壊行為の有無を判定することが可能になる。
しかも、本実施形態では、凸部２１ｄを上ケース２０側に形成しているので、制御基板の不正改造後に、偽造された連結ピンで再度封印固定しても、凸部２１ｄの消失にもとづいて、不正行為を判定することができる。
【００４３】
さらに、本実施形態の連結ピン４０は、当該連結ピン４０が動くか否かを触診する触診棒Ｓの先端と係合する触診用係合部４６を備えている。触診用係合部４６は、例えば、図６の（ａ）に示すように、頭部４１の上面に形成される凹部であってもよいし、図６の（ｂ）に示すように、頭部４１の上面に形成される凸部であってもよい。
このようにすると、制御基板の不正改造後に連結ピン４０に対して偽装工作が行われた場合に、押し込み孔６１ａから触診棒Ｓを差し込み、触診によって連結ピン４０に対する偽装工作を判定することができる。
【００４４】
具体的には、押し込み孔６１ａから触診棒Ｓを差し込み、触診棒Ｓの先端を触診用係合部４６に引っ掛け、連結ピン４０が動く（ガタついたり、回転する）か否かを診断し、まったく動かないときは、不正改造後に接着剤を用いた偽装工作が行われたと判定することができる。
逆に、連結ピン４０が回転方向に自由に動く場合は、凸部２１ｄが折損しているので、不正改造後に偽造連結ピンなどで再封印する偽装工作が行われたと判定することができる。
【００４５】
次に、本発明の実施形態に係るセキュリティ構造の作用について、図４〜図６を参照して説明する。
上ケース２０及び下ケース３０の封印固定部２１、３１が重合した状態で、上ケース２０の封印固定部２１に連結ピン４０を押し込むと、先端部のテーパーガイドにより係合爪部４３が縮径状態で挿通孔２１ｃ及び係止孔３１ｃを通過する。このとき、頭部４１は、挿通孔２１ｃの通過が規制され、また、係合爪部４３は、係止孔３１ｃを通過後、弾性復元して下ケース３０の封印固定部３１に裏側から係合する。
これにより、上ケース２０及び下ケース３０の封印固定部２１、３１が連結ピン４０を介して一体的に封印固定される。
また、この係合状態にある連結ピン４０は、回転位置規定部Ｋによる回転規制を除き、外部からの回転力に対して回転可能に形成されている。
【００４６】
また、連結ピン４０の押し込み操作に際しては、回転位置規定部Ｋによって連結ピン４０の回転位置が規定される。つまり、上ケース２０側に形成される凸部２１ｄと、連結ピン４０側に形成される凹部４１ａが係合するように押し込み操作を行う。
これにより、連結ピン４０の頭部４１が備える指針部４５の直径線４５ａは、図４の（ａ）に示すように、制御基板ケース１０と平行な方向を向く状態となる。
【００４７】
不正行為者は、回転力の作用により孔を開ける工具Ｄを用いて下ケース３０（裏蓋５０）の裏側に孔を開け、さらに、工具Ｄの刃を押し進めて連結ピン４０の係合爪部４３を破壊する。このとき、工具Ｄの回転力が連結ピン４０に加わると凸部２１ｄが折損し、連結ピン４０の回転が許容される。
これにより、例えば、図４の（ｃ）に示すように、指針部４５の直径線４５ａが制御基板ケース１０に対して傾いた状態となる。
【００４８】
不正行為者は、連結ピン４０の係合爪部４３を破壊した後、制御基板ケース１０を開放し、制御基板上のＲＯＭを不正なＲＯＭに入れ替えた後、制御基板ケース１０を元のように閉じるとともに、破壊した連結ピン４０を巧妙に押し込み位置に戻す。その後、連結ピン４０の押し込み孔６１ａに接着剤を垂らし、あたかも連結ピン４０で上ケース２０と下ケース３０が連結されているかのように見せる偽装工作を行う。
【００４９】
ホール責任者は、これらの不正行為を素早く見つけるために、機会あるごとに、遊技機毎に連結ピン４０の指針部４５を見ながら、指針部４５の直径線４５ａが所定の回転位置（初期角度）にあるかどうかを目視確認し、不正行為の有無を判定する。
そして、図４の（ｃ）に示すように、連結ピン４０に回転位置変動があるときは、不正行為があったものと判断する。
【００５０】
目視確認で確信がもてないときは、押し込み孔６１ａから触診棒Ｓを差し込み、触診棒Ｓの先端を触診用係合部４６に引っ掛け、連結ピン４０が動くか否かを診断する。ここで、連結ピン４０がまったく動かないときは、不正改造後に接着剤を用いた偽装工作が行われたと判定することができる。
【００５１】
また、不正行為後に、偽造の連結ピンを使用して再封印（連結）されている場合は、凸部２１ｄが折損しているので、凸部２１ｄの目視確認により不正行為の有無を判定することができる。また、凸部２１ｄが折損していると、連結ピン４０が回転方向に自由に動くので、触診棒Ｓによる診断も可能となる。
【００５２】
以上のように構成された本実施形態によれば、分離不能に連結された上ケース２０と下ケース３０に対する連結解除の痕跡を識別可能に残すセキュリティ構造であって、上ケース２０の表側から行われる押し込み操作に応じて、上ケース２０及び下ケース３０に形成された孔部を貫通するとともに、下ケース３０に裏側から係合することによって上ケース２０と下ケース３０を連結する連結ピン４０を備え、この連結ピン４０は、係合状態において各孔部内を回転可能に形成されるとともに、不正破壊行為に伴う外部から加わる回転力（外力）による連結ピン４０の回転位置変動を、上ケース２０の表側から目視確認可能とする指針部４５を備えるので、回転力の作用により孔を開ける工具などを用いて連結ピン４０を裏側から不正に破壊する行為が行われた場合に、その連結ピン４０の回転位置変動が連結解除の痕跡となるため、容易に不正行為を発見することができる。
【００５３】
以上、本発明について、実施形態を示して説明したが、本発明は、上述した実施形態にのみ限定されるものではなく、特許請求の範囲内で種々の変更が可能であることは言うまでもない。
例えば、回転位置規定部を構成する凸部を連結ピン側に形成し、これに係合する凹部を上ケース側に形成してもよい。
また、連結ピンの回転位置の保持は、凹凸係合によらず、連結ピンの頭部外周と上ケース２０の間に生じる摩擦抵抗などで行うようにしてもよい。
【００５４】
また、本発明のセキュリティ構造は、本実施形態のように、所定の基板を収納する上ケース２０と下ケース３０を分離不能に連結する連結構造だけでなく、例えば、孔部を有する所定の基板を、孔部を有する所定の固定部材に連結ピンを介して直接固定する連結構造にも適用可能である。つまり、本発明のセキュリティ構造は、連結ピンを介して二つの部材を分離不能に連結する連結構造であれば、全てに適用できる。
【００５５】
また、このような連結構造は、遊技機に限らず、遊技場に設置される遊技媒体を計数する計数機、遊技媒体を貸し出す玉貸し機などその他の遊技場装置にも多く採用されていることから、これらの遊技場装置に内蔵されている基板を、装置内の固定部材に連結ピンを介して分離不能（取り外し不能）に連結（固定）する連結構造にも、本発明のセキュリティ構造を適用することができる。
【産業上の利用可能性】
【００５６】
本発明は、二つの部材を分離不能に連結する連結構造に適用される。特に、高いセキュリティが要求される遊技機、計数機、玉貸機などの制御基板ケースの封印固定や基板の固定に好適に用いることができる。
【符号の説明】
【００５７】
１０  制御基板ケース
２０  上ケース
２１ｄ  凸部
３０  下ケース
４０  連結ピン
４１  頭部
４１ａ  凹部
４２  軸部
４３  係合爪部
４５  指針部
４５ａ  直径線
４５ｂ、４５ｃ  着色部
４６  触診用係合部
６０  封印カバー
Ｄ  工具
Ｋ  回転位置規定部
Ｓ  触診棒
【図１】
2011177412.tif 000003
【図２】
2011177412.tif 000004
【図３】
2011177412.tif 000005
【図４】
2011177412.tif 000006
【図５】
2011177412.tif 000007
【図６】
2011177412.tif 000008